(57)【要約】【課題】携帯電子機器及びその光源を制御する方法を提供する。【解決手段】携帯電子機器は、主制御モジュールと、光制御モジュールと、光を生成するように構成された光源モジュールとを備える。前記方法は、複数の光制御パラメータを主制御モジュールに記憶するステップと、入力信号に応答して主制御モジュールによって前記光制御パラメータのうちの１つを前記光制御モジュールに出力するステップと、前記出力された光制御パラメータに応答して光制御信号を生成して前記光制御モジュールを通って前記光源モジュールに送信するステップとを含む。その結果、前記光源モジュールによって生成される光の輝度が制御される。【選択図】図２
2010114884.tif 000002
【特許請求の範囲】
【請求項１】
入力信号を受信して前記入力信号に応じて光制御パラメータ第１セットを出力するように構成された主制御モジュールと、
前記主制御モジュールから出力された前記光制御パラメータ第１セットを受信して記憶するように構成された第１プリロードユニットを有し、前記主制御モジュールに電気的に接続された光制御モジュールであって、前記光制御パラメータ第１セットに応じて光制御信号を生成する光制御モジュールと、
前記光制御モジュールに電気的に接続され、光を生成し且つ前記光制御信号を受信して前記光の輝度を制御するように構成された光源モジュールとを備えた、携帯電子機器。
【請求項２】
前記主制御モジュールは、
前記光制御パラメータ第１セット及び少なくとも１つの光制御パラメータ第２セットを記憶するように構成されたメモリと、
前記メモリに電気的に接続され、前記入力信号を受信した後、光制御パラメータ第１セットを選択して取得するように構成されたマイクロプロセッサとを備えた、請求項１に記載の携帯電子機器。
【請求項３】
前記光制御モジュールは、
前記主制御モジュールから出力された前記光制御パラメータ第１セットを受信して前記光制御パラメータ第１セットに応じて前記光制御信号及びプリロード信号を生成するように構成された制御ユニットと、
前記メモリから出力された前記少なくとも１つの光制御パラメータ第２セットを受信して記憶するように構成された第２プリロードユニットとをさらに備え、
前記プロロード信号は、前記制御ユニットから前記主制御モジュールに出力され、
前記主制御モジュールは、前記プリロード信号に応答して、記憶すべき前記少なくとも１つの光制御パラメータ第２セットを前記第２プリロードユニットに送信する、請求項２に記載の携帯電子機器。
【請求項４】
前記光制御モジュールは、インターフェイスをさらに備え、
前記光制御パラメータ第１セット、前記少なくとも１つの光制御パラメータ第２セット、及び前記プリロード信号は、前記インターフェイスを経由して送信され、前記インターフェイスは、Ｉ2Ｃバス、ユニバーサルシリアルバス（ＵＳＢ）、ＩＥＥＥ１３９４バス、及びシリアルペリフェラルインターフェイス（ＳＰＩ）のうちの１つである、請求項３に記載の携帯電子機器。
【請求項５】
前記制御ユニットは、
前記主制御モジュールから出力された前記光制御パラメータ第１セットを受信して前記光制御パラメータ第１セットに応じてアクセス命令を生成するように構成されたアクセスサブユニットと、
前記アクセス命令を実行し且つ駆動信号を出力するように構成された実行サブユニットと、
前記駆動信号を受信し且つ前記駆動信号に応じて前記光制御信号を出力して前記光の輝度を制御するように構成された入出力制御サブユニットとをさらに備えた、請求項３に記載の携帯電子機器。
【請求項６】
前記光源モジュールは、赤色発色ユニットと、緑色発色ユニット、青色発色ユニットとを備え、
前記赤色発色ユニットは、赤色光を生成するように構成され、前記緑色発色ユニットは、緑色光を生成するように構成され、前記青色発色ユニットは、青色光を生成するように構成され、
前記光は、前記赤色光、前記緑色光、及び前記青色光を合成することによって形成される、請求項１に記載の携帯電子機器。
【請求項７】
前記光制御パラメータ第１セットは、赤色データと緑色データと青色データとを含み、
前記光制御信号は、前記赤色データに応じて前記赤色光の輝度を、前記緑色データに応じて前記緑色光の輝度を、前記青色データに応じて前記青色光の輝度を制御する、請求項６に記載の携帯電子機器。
【請求項８】
制御信号及び複数の光制御パラメータセットを出力するように構成された主制御モジュールと、
前記主制御モジュールから出力された前記複数の光制御パラメータセットをそれぞれ受信して記憶するように構成された複数のプリロードユニットを有する光制御モジュールであって、前記制御信号に応じて前記複数のプリロードユニットのうちの１つに記憶された前記複数の光制御パラメータセットのうちの１つを選択し、選択した前記複数の光制御パラメータセットのうちの１つに応じて光制御信号を生成する光制御モジュールと、
前記光制御モジュールに電気的に接続され、合成光を生成するために第１発色ユニットと第２発色ユニットとを有する光源モジュールであって、前記光制御信号を受信して前記合成光の輝度を制御するように構成された光源モジュールとを備えた、携帯電子機器。
【請求項９】
前記主制御モジュールは、前記複数の光制御パラメータセットを記憶するように構成されたメモリと、
前記メモリに電気的に接続され、前記複数の光制御パラメータセットを前記メモリから選択して取得するマクロプロセッサとをさらに備えた、請求項８に記載の携帯電子機器。
【請求項１０】
入力信号を受信することと、
前記入力信号に応じて光制御パラメータ第１セットを出力することと、
前記光制御パラメータ第１セットをプリロードユニットに記憶することと、
前記光制御パラメータ第１セットに応じて光制御信号を生成することと、
前記光制御信号に応じて前記光の輝度を制御することとを含む、携帯電子機器の光を制御する方法。
【請求項１１】
プリロード信号を生成することと、
前記プロロード信号に応答して少なくとも１つの光制御パラメータ第２セットを第２プリロードユニットに記憶することとをさらに含む、請求項１０に記載の方法。
【請求項１２】
前記光制御信号を生成するステップは、
前記光制御パラメータ第１セットに応じてアクセス命令を生成し、
前記アクセス命令を実行し且つ駆動信号を出力することと、
前記駆動信号を受信することと、
前記駆動信号に応じて前記光制御信号を出力して前記光の輝度を制御することをさらに含む、請求項１０に記載の方法。
【請求項１３】
前記光は、赤色光、緑色光、及び青色光を合成することによって形成され、前記光制御パラメータ第１セットは、赤色データと、緑色データと、青色データとを含み、前記光の輝度を制御するステップは、
前記赤色データに応じて前記赤色光の輝度を制御することと、
前記緑色データに応じて前記緑色光の輝度を制御することと、
前記青色データに応じて前記青色光の輝度を制御することをさらに含む、請求項１０に記載の方法。
【発明の詳細な説明】
【技術分野】
【０００１】
本発明は、携帯電子機器及びその光を制御する方法に関する。より具体的には、本発明は、主制御モジュールのメモリに記憶された複数の光制御パラメータセットを有する携帯電子機器に関する。
【背景技術】
【０００２】
携帯電話や携帯情報端末（ＰＤＡ）等の市販されている携帯電子機器は、一般に、さまざまなイベントに応じて明滅する異なった色の発光ダイオード（ＬＥＤ）を備えている。例えば、携帯電話がスタンバイモードにあるとき、緑色ＬＥＤが明滅して現在スタンバイモードにあることを示す。他の例において、携帯電話が低バッテリ状態で動作していれば、赤色ＬＥＤが明滅してユーザにバッテリ交換又は充電を知らせる。しかしながら、ＬＥＤが明滅するモードを決定する光制御パラメータ、例えば明滅周期や輝度は、携帯電子機器の設計段階初期において予め設定され、メモリに変更不能に記憶される場合がある。そのため、携帯電子機器の明滅モード数が増えると、対応する光制御パラメータを記憶するためのメモリの容量を増やす必要があり、製造コストがより高くなる。
【０００３】
さらに、明滅モード数が増えると、発生するイベントに対応した光制御パラメータを前記メモリから検出するのにより時間を要し、イベントに応答してリアルタイムにＬＥＤの輝度や彩度を調整することができなくなる。
【発明の概要】
【発明が解決しようとする課題】
【０００４】
そのため、ＬＥＤの異なった輝度間を切り替えるのに必要な時間を短縮し、さらに携帯電子機器内の単色光を複色光に変える一方で、光制御パラメータ数が増えるのに対して携帯電子機器のメモリ容量を一定に維持することが重要である。
【課題を解決するための手段】
【０００５】
本発明は、主制御モジュールと、光制御モジュールと、光源モジュールとを備えた携帯電子機器を提供する。前記主制御モジュールは、入力信号を受信して前記入力信号に応じて光制御パラメータ第１セットを出力するように構成される。前記光制御モジュールは、前記主制御モジュールから出力された前記光制御パラメータ第１セットを受信して記憶するように構成された第１プリロードを有する。前記光制御モジュールは、前記光制御パラメータ第１セットに応じて光制御信号を生成する。前記光源モジュールは、前記光制御モジュールを経由して前記主制御モジュールに電気的に接続され、光を生成し且つ前記光制御信号を受信して前記光の輝度を制御するように構成される。
【０００６】
また、本発明は、主制御モジュールと、光制御モジュールと、光源モジュールとを備えた携帯電子機器を提供する。前記主制御モジュールは、制御信号及び複数の光制御パラメータセットを出力するように構成される。前記光制御モジュールは、それぞれ前記主制御モジュールから出力された前記複数の光制御パラメータセットをそれぞれ受信して記憶するように構成された複数のプリロードユニットを有する。前記光制御モジュールは、前記制御信号に応じて前記プリロードユニットのうちの１つに記憶された前記複数の光制御パラメータセットのうちの１つを選択し、選択した前記複数の光制御パラメータセットのうちの１つに応じて光制御信号を生成する。前記光源モジュールは、前記光制御モジュールを経由して前記主制御モジュールに電気的に接続され、第１発色ユニットと第２発色ユニットとを有する。前記光源モジュールは、合成光を生成し且つ前記光制御信号を受信して前記合成光の輝度を制御するように構成される。
【０００７】
さらに、本発明は、携帯電子機器の光を制御する方法を提供する。前記携帯電子機器は、複数の光制御パラメータセットを記憶する。前記方法は、入力信号を受信するステップと、前記入力信号に応じて前記複数の光制御パラメータセットのうちの１つを出力するステップと、出力した前記複数の光制御パラメータのうちの１つに応じて光制御信号を生成するステップと、前記光制御信号に応じて前記光の輝度を制御するステップとを含む。
【０００８】
上記により、さまざまな光制御パラメータセットが主制御モジュールのメモリに予め記憶され、光制御モジュールが、光源モジュールを制御するための光制御信号を生成するように、光制御パラメータセットが光制御モジュールに送信される。このとき、さらに、本発明は、頻繁に使用される光制御パラメータセットを光制御モジュールのプリロードユニットに送信して記憶させる。このようにして、光制御モジュール内のメモリの容量を減らし、光源モジュールの輝度間を切り替える総時間をさらに短縮させる。
【０００９】
当業者が、特許請求の項に記載した発明の特徴をよく理解できるように、本発明に係る技術及び好適な実施形態を、添付の図面と共に以下の段落において詳細に説明する。
【図面の簡単な説明】
【００１０】
【図１】本発明に係る携帯電子機器を示す概略外形図。
【図２】本発明に係る携帯電子機器を示す回路ブロック図。
【図３】本発明に係る携帯電子機器の光源モジュールの光波形図。
【図４】本発明に係る携帯電子機器を示す他の概略外形図。
【図５】本発明に係る携帯電子機器が光の輝度をどのように制御するかを示すフローチャート。
【図６】光制御信号をどのように生成するかを示すフローチャート。
【図７】光制御信号に応じて光の輝度をどのように制御するかを示すフローチャート。
【図８】本発明に係る他の携帯電子機器を示す回路ブロック図。
【発明を実施するための形態】
【００１１】
以下、本発明を、実施形態に基づいて説明する。なお、これらの実施形態は、本発明を、実施形態において記載されるいかなる具体的な環境、適用、又は特定の実施に限定することを意図しない。従って、これらの実施形態は、本発明を限定するためではなく例示するために記載しているにすぎない。以下の実施形態及び添付の図面において、本発明に関係のない要素は記載を省略する。
【００１２】
図１は、本発明の一実施形態による携帯電子機器３を示す外形図である。携帯電子機器３は、一般に、携帯電話、ノートブックコンピュータ、携帯情報端末（ＰＤＡ）、衛星測位装置等を含むがそれらに限定されない、使用時に携帯される機器のことを指す。説明のため、本実施形態の携帯電子機器３の一例として携帯電話について記載する。図１に示した携帯電子機器３は、入力ユニット３１１と光源モジュール３５とを有している。入力ユニット３１１は、キーパッド、タッチスクリーン、又はユーザが指示を入力するその他の入力装置であってもよい。光源モジュール３５は、発光ダイオード（ＬＥＤ）を用いて光を生成するが、本発明は、それに限定されない。
【００１３】
図２は、本発明の携帯電子機器３を示した回路ブロック図である。携帯電子機器３は、主制御モジュール３１と、光制御モジュール３３と、光源モジュール３５とを備えている。主制御モジュール３１は、入力ユニット３１１に電気的に接続されており、メモリ３１３とマクロプロセッサ３１５とを備えている。入力ユニット３１１は、ユーザによって入力される指示に応じて入力信号３１０を生成するように適合されている。メモリ３１３は、複数の光制御パラメータセットを記憶している。本実施形態において、簡略にするため、光制御パラメータ第１セット３１３１及び複数の光制御パラメータ第２セット３１３３、３１３５のみを図示している。マイクロプロセッサ３１５は、入力ユニット３１１から入力信号３１０を受信し、さらに入力信号３１０を処理した後、出力のために、入力信号３１０に対応した光制御パラメータをメモリ３１３から選択して取得する。本実施形態において、入力信号３１０に対応した光制御パラメータは、光制御パラメータ第１セット３１３１である。そのため、マイクロプロセッサ３１５は、入力信号３１０を受信した後、出力のために、光制御パラメータ第１セット３１３１をメモリ３１３から選択して取得する。他の実施形態では、入力信号３１０は、入力ユニット３１１による生成に限定されるのではなく、他のイベント、例えば着呼、バッテリ切れ、又は警告イベントによって生成されてもよい。
【００１４】
光制御モジュール３３は、インターフェイス３３１と、制御ユニット３３３と、プリロードバンク３３５とを備えている。インターフェイス３３１は、Ｉ2Ｃバス、ユニバーサルシリアルバス（ＵＳＢ）、ＩＥＥＥ１３９４バス、又はシリアルペリフェラルインターフェイス（ＳＰＩ）であってもよい。インターフェイス３３１により、主制御モジュール３１のマイクロプロセッサ３１５から出力された光制御パラメータ第１セット３１３１は、光制御モジュール３３によって受信される。制御ユニット３３３は、光制御パラメータ第１セット３１３１を受信した後、受信した光制御パラメータ第１セット３１３１に応じて光制御信号３３０及びプリロード信号３３２を生成する。プリロードバンク３３５は、第１プリロードユニット３３５ａと第２プロロードユニット３３５ｂとを備えている。なお、本発明は、プリロードバンク３３５に含まれるプリロードユニットの数に制限はなく、本実施形態のプリロードバンク３３５に含まれた２つのプリロードユニットは、本発明を限定するためではなく単に例示するためにあることに留意されたい。
【００１５】
光制御モジュール３３は、光制御パラメータ第１セット３１３１を受信した後、それを第１プリロードユニット３３５ａに記憶する。上述の説明では、光制御パラメータ第１セット３１３１を光制御モジュール３３に送信する主制御モジュール３１の動作が関係している。なお、光制御パラメータ第１セット３１３１が光制御モジュール３３に送信された後、光制御モジュール３３によって生成されたプリロード信号３３２は、そのプリロード信号３３２に応答して主制御モジュール３１のマイクロプロセッサ３１５が複数の光制御パラメータ第２セット３１３３、３１３５のうちの１つをメモリ３１３から光制御モジュール３３に送信し、それを制御モジュール３３の制御ユニット３３３を経由してプリロードバンク３３５に記憶させるように、主制御モジュール３１のマクロプロセッサ３１５に送信される。
【００１６】
光制御モジュール３３の制御ユニット３３３は、アクセスサブユニット３３３１と、実行サブユニット３３３３と、入出力制御サブユニット３３３５とをさらに備えている。アクセスサブユニット３３３１は、上記した光制御パラメータ第１セット３１３１を受信し且つその光制御パラメータ第１セット３１３１に応じてアクセス命令３３４を生成するように構成されている。実行サブユニット３３３は、アクセス命令３３４を実行し且つ駆動信号３３６を出力するように構成されている。入出力制御サブユニット３３５は、駆動信号３３６を受信して処理し、且つ光制御信号３３０を光源モジュール３５に出力するように構成されている。
【００１７】
光源モジュール３５は、赤色発光ユニット３５１と、緑色発光ユニット３５３と、青色発光ユニット３５５とから成っている。より具体的には、これらの発光ユニットはそれぞれＬＥＤであってもよく、赤色ＬＥＤは、赤色光を生成するように適合され、緑色ＬＥＤは、緑色光を生成するように適合され、青色ＬＥＤは、青色光を生成するように適合されている。光源モジュール３５は、上記した３原色（つまり、赤、緑、青）の光を合成することによって特定の輝度レベルの光を生成してもよい。上記した光制御パラメータセット３１３１、３１３３、３１３５はそれぞれ、赤色データ、緑色データ、及び青色データを含んでいる。光制御モジュール３３の制御ユニット３３３は、光制御パラメータ第１セット３１３１の赤色、緑色、及び青色データに応じて光制御信号３３０を生成する。そして、光制御信号３３０は、光制御パラメータ第１セット３１３１の赤色データに応じて赤色発光ユニット３５１からの光の輝度、光制御パラメータ第１セット３１３１の緑色データに応じて緑色発光ユニット３５３からの光の輝度、および光制御パラメータ第１セット３１３１の青色データに応じて青色発光ユニット３５５からの光の輝度を制御する。このように、光源モジュール３５からの光の輝度は、それぞれ赤色光、緑色光、及び青色光の輝度を調整することによって制御することができる。
【００１８】
より具体的には、主制御モジュール３１のマイクロプロセッサ３１５は、インターフェイス３１１を経由して入力信号３１０を受信した後、その入力信号３１０に応じて、スタンバイモード制御パラメータをさらに含んだ光制御パラメータ第１セット３１３１をメモリ３１３から選択して取得する。その後、マイクロプロセッサ３１５は、光制御パラメータ第１セット３１３１を光制御モジュール３３のインターフェイス３３１に送信する。光制御パラメータ第１セット３１３１は、赤色、緑色、及び青色データを含んでおり、それらの構成については、後ほど詳しく説明する。インターフェイス３３１は、光制御パラメータ第１セット３１３１を受信した後、その光制御パラメータ第１セット３１３１を制御ユニット３３３に送信し、制御ユニット３３３は、続いて光制御パラメータ第１セット３１３１の赤色、緑色、及び青色データをそれぞれ第１プリロードユニット３３５ａにプログラムして記憶させる。本実施形態において、第１プリロードユニット３３５ａは、予め構成されている５つのプリロードテーブル３３５１、３３５２、３３５３、３３５４、及び３３５５を有している。光制御パラメータ第１セット３１３１の赤色、緑色、及び青色データは、プリロードテーブル３３５１に記憶される。このとき、制御ユニット３３３は、光源モジュール３５が第１セットの光制御パラメータ３１３１（つまり、スタンバイモード制御パラメータを含む）に応じて光の輝度を制御できるように、光制御信号３３０を光源モジュール３５に出力する。
【００１９】
制御ユニット３３３は、光制御信号３３０を光源モジュール３５に出力する一方、プリロード信号３３２を主制御モジュール３１のマイクロプロセッサ３１５に送信する。このプリロード信号３３２に応答して、マイクロプロセッサ３１５は、メモリ３１３に記憶された光制御パラメータ第２セット３１３３（例えば、着呼モード制御パラメータを含む）又はもう１つの光制御パラメータ第２セット３１３５（例えば、バッテリ切れモード制御パラメータ）を光制御モジュール３３に送信し、光制御パラメータ第２セット３１３３、３１３５の赤色、緑色、及び青色データをそれぞれ上記したシーケンスで第２プリロードユニット３３５ｂのプリロードテーブルに記憶させる。こうして、光制御パラメータ第２セット３１３３（つまり、着呼モード制御パラメータを含む）及びもう１つの光制御パラメータ第２セット３１３５（つまり、バッテリ切れモード制御パラメータを含む）の両方が予め光制御モジュール３３の第２プリロードユニット３３５ｂに記憶される。従って、携帯電子機器３の光源モジュール３５が光制御パラメータ第１セット３１３１（つまり、スタンバイモード制御パラメータを含む）に応じて光の輝度を制御しているときに、光制御パラメータ第２セット３１３３（つまり、着呼モード制御パラメータを含む）を使うように光源モジュール３５が切り替えられる着呼があった場合、制御ユニット３３３は、第２プリロードユニット３３５ｂから直接光制御パラメータ第２セット３１３３の赤色、緑色、及び青色データにアクセスして、光源モジュール３５の光の輝度が迅速に切り替えられて光の輝度制御に必要な時間を短縮することができる。上記の実施形態は、本発明の技術的特徴の一例を示し、説明のために記載したにすぎず、本発明の範囲を限定するものではない。
【００２０】
なお、本好適な実施形態において、複数の光制御パラメータ第２セット３１３３、３１３５は、第２プリロードユニット３３５ｂに記憶されるが、主制御モジュール３１によって出力される複数の光制御パラメータ第２セット３１３３、３１３５は、第２プリロードユニット３３５ｂとは別の第１プリロードユニット３３５ａに記憶されてもよいことを理解されたい。本発明は、複数の光制御パラメータセットがプリロードバンク３３５のどのプリロードユニットに記憶されるかを限定しない。つまり、光制御パラメータ第２セット３１３３、３１３５は、プリロード信号３３２に応じて第１プリロードユニット３３５ａ又は第２プリロードユニット３３５ｂのどちらのプリロードテーブルに記憶されてもよい。
【００２１】
さらに、携帯電子機器３がスライド機構を有するか、又は出し入れ可能なキーパッドを有する他の実施形態において、メモリ３１３に記憶される光制御パラメータ第１セット３１３１は、光源モジュール３５を駆動してキーパッドを出す動作に対応した明滅光を生成するように適合される一方、メモリ３１３に記憶される光制御パラメータ第２セット３１３は、光源モジュール３５を駆動してキーパッドを引っ込める動作に対応した別の明滅光を生成するように適合されている。キーパッドの出し入れ動作に対応した輝度間の切り替え、並びに制御ユニット３３３と光制御モジュール３３のプリロードバンク３３５と主制御モジュール３１との間の動作関係については、すでに説明しているため、ここではこれ以上説明はしない。
【００２２】
光の彩度及び輝度の変調には、パルス幅変調（ＰＷＭ）を採用している。ＰＷＭは当該技術分野において周知であるため、変調については手短に述べることとする。
【００２３】
図３は、本発明の携帯電子機器３における光源モジュール３５の輝度波形図を示している。図３において、上から下にそれぞれ光源モジュール３５の赤色光チャンネルの波形、緑色光チャンネルの波形、及び青色光チャンネルの波形を示している。より具体的には、赤色光チャンネルの場合、座標（ｘ、ｙ）を用いて、各時間点における赤色光チャンネルによって示される輝度を表してもよく、その場合、横軸（ｘ）は、時間を表し、縦軸（ｙ）は、光源モジュール３５の赤色発光ユニット３５１によって示されるＰＷＭによる輝度を表している。例えば、８ビットのシステムの場合、赤色光チャンネルは、２５６の異なる色レベルを有し、それぞれ対応した輝度を有している。輝度が低いとその色レベルが低いことを示している。言い換えると、縦座標が０／２５６の場合、完全に暗い状態、つまり、ＰＷＭが完全にオフである状態にあることを表している。その一方で、輝度が高いとその色レベルが高いことを示す。言い換えると、縦座標が２５６／２５６の場合、完全に明るい状態、つまり、ＰＷＭが完全にオンである状態にあることを表している。ＰＷＭは、従来技術であり、当業者であればＰＷＭがどのように動作するものかを容易に理解するため、ここではこれ以上説明はしない。
【００２４】
例えば、赤色光チャンネルは、時点０において輝度値０を有しており、そのラベルは、赤色光が完全に暗い状態であることを表す（０、０）となる。赤色、緑色、及び青色光チャンネルのすべてが輝度値０であれば、合成光の輝度は、完全に暗い状態となる。時点ｘ１では、赤色光チャンネルは、輝度値１６を有するので、ラベルが（ｘ１、１６／２５６）、つまり（ｘ１、１／１６）となり、赤色光の輝度がＰＷＭが完全にオンであるときの輝度の１６分の１であることを表している。ｘ２の時点で、赤色光チャンネルは、輝度値３２を有するので、ラベルが（ｘ１、３２／２５６）、つまり（ｘ１、１／８）となり、赤色光の輝度がＰＷＭが完全にオンであるときの８分の１であることを表している。赤色、緑色、及び青色光チャンネルのすべてが時点毎に異なる座標（ｘ、ｙ）で表される輝度を有するようになるまでこの処理が続けられる。次に、時点ｘ３では、赤色光チャンネル、緑色光チャンネル、及び青色光チャンネルは、それぞれ輝度値が（ｘ３、０）、（ｘ３、０）、及び（ｘ３、１／１６）を有しているので、合成光は、ＰＷＭが完全にオンであるときの１６分の１の輝度を有する青色となる。このようにして、光源モジュール３５の輝度を制御することができ、それに応じて光の彩度を変化させることができる。
【００２５】
本実施形態において、ひとつの光源モジュール３５についてのみその処理及び動作を記載しているが、本発明は、光源モジュール３５の数に制限はない。上記した内容を吟味すると当業者であれば複数の光源モジュール３５（図４に示す）を用いた処理について容易に理解されるため、ここではこれ以上説明はしない。
【００２６】
上記した携帯電子機器３における光源モジュール３５の輝度を制御するためのプロセスを示したフローチャートを図５に示している。携帯電子機器３は、光制御パラメータ第１セット及び少なくとも１つの光制御パラメータ第２セットを含んだ複数の光制御パラメータセットを記憶するように適合されている。なお、光制御パラメータの数は、３セットに限定されず、本実施形態の３つのセットの光制御パラメータは、例示のために提供しているにすぎない。光源モジュール３５の光は、赤色光、緑色光、青色光を合成することによって生成されている。この方法は、以下のステップを含んでいる。まず、ステップＳ７１を実行してイベントに応じて入力信号を生成する。次に、ステップＳ７２を実行してその入力信号を受信する。続いて、ステップＳ７３を実行して入力信号に応じて光制御パラメータ第１セットを選択して出力する。
【００２７】
その後、ステップＳ７４を実行して光制御パラメータ第１セットを受信して記憶する。ステップＳ７５を実行してその光制御パラメータ第１セットに応じて光制御信号を生成する。その後、ステップＳ７６を実行してその光制御信号に応じて光の輝度を制御し、ステップＳ７７を実行してプリロード信号を生成する。最後に、ステップＳ７８を実行してプリロード信号に応じて少なくとも１つの光制御パラメータ第２セットを更新して記憶する。
【００２８】
図６は、ステップＳ７５における光制御信号を生成するプロセスを示したフローチャートを示している。まず、ステップＳ８１を実行して光制御パラメータ第１セットに応じてアクセス命令を生成する。次に、ステップＳ８２を実行してそのアクセス命令を実行し且つ駆動信号を出力する。続いて、ステップＳ８３を実行して駆動信号を受信して処理する。最後に、ステップＳ８４を実行してその駆動信号に応じて光制御信号を出力する。
【００２９】
図７は、ステップＳ７６における光の輝度を制御するプロセスを示したフローチャートを示している。まず、ステップＳ９１を実行して光制御パラメータ第１セットの赤色データに応じて赤色光の輝度を制御する。次に、ステップＳ９２を実行して光制御パラメータ第１セットの緑色データに応じて緑色光の輝度を制御する。最後に、ステップＳ９３を実行して光制御パラメータ第１セットの青色データに応じて青色光の輝度を制御する。
【００３０】
上記したステップに加えて、光源モジュール３５の輝度を制御するプロセスによれば、本発明の携帯電子機器３に対して説明した処理及び機能のすべてを実行することができる。図５〜７に示したプロセスがそれらの処理及び機能を実行する方法は、本発明の携帯電子機器３の説明内容に基づいて当業者によって容易に理解されるものであるため、ここではこれ以上説明はしない。
【００３１】
本発明の他の好適な実施形態を、本発明の携帯電子機器３を示した他の回路ブロック図である図８に示している。この回路ブロック図は、主制御モジュール９１と、光制御モジュール９３と、光源モジュール９５とを備えている。主制御モジュール９１は、メモリとマイクロプロセッサ９１５とを備えている。メモリ９１３は、複数の光制御パラメータセット９１３１、９１３３、９１３５を記憶するように構成されている。マイクロプロセッサ９１５は、メモリ９１３に電気的に接続されており、メモリ９１３から複数の光制御パラメータ９１３１，９１３３、９１３５を選択して、それらのパラメータ及び制御信号９１２を光制御モジュール９３に出力するように構成されている。
【００３２】
光制御モジュール９３は、インターフェイス９３１と、複数のプリロードユニット９３５ａ、９３５ｂと、制御ユニット９３３とを備えている。ここでは、簡略にするため、複数のプリロードユニットを、第１プリロードユニット９３５ａ及び第２プリロードユニット９３５ｂで表わしている。上記した複数の光制御パラメータセット９１３１、９１３３、９１３５は、インターフェイス９３１を経由して送信されるが、このインターフェイスは、Ｉ２Ｃバス、ＵＳＢ、ＩＥＥＥ１３９４バス、又はＳＰＩであってもよい。
【００３３】
第１プリロードユニット９３５ａ及び第２プリロードユニット９３５ｂはそれぞれ、主制御モジュール９１によって出力された光制御パラメータセット９１３１、９１３３、９１３５を受信して記憶する。光制御モジュール９３は、マイクロプロセッサ９１５によって送信された制御信号９１２に応じて、第１プリロードユニット９３５ａ又は第２プリロードユニット９３５ｂに記憶された光制御パラメータセット９１３１、９１３３、９１３５のうちの１つを選択するように構成されている。このとき、光制御モジュール９３は、選択された光制御パラメータセットに応じて制御ユニット９３３内に光制御信号９３０を生成する。制御ユニット９３３は、アクセスサブユニット９３３１と、実行サブユニット９３３３と、入出力制御サブユニット９３３５とを備えている。アクセスサブユニット９３３１は、光制御パラメータセット９１３１、９１３３、９１３５のうちの１つを受信した後、アクセス命令９３４を生成して実行サブユニット９３３３に送信する。続いて、実行サブユニット９３３３は、アクセス命令９３４を実行し且つ駆動信号９３６を出力する。入出力制御サブユニット９３３５は、駆動信号９３６を受信して処理し、さらに処理した駆動信号９３６の処理結果に応じて光制御信号９３０を出力する。
【００３４】
光源モジュール９５は、光制御モジュール９３に電気的に接続されており、合成光を生成するための第１発色ユニット９５１と第２発色ユニット９５５とを有している。光源モジュール９５は、光制御信号９３０を受信してその光制御信号９３０に応じて合成光の輝度を制御する。なお、第１発色ユニット９５１及び第２発色ユニット９５５は、異なる色のＬＥＤであってもよいことに留意されたい。例えば、第１発色ユニット９５１が赤色ＬＥＤで、第２発色ユニット９５５が青色ＬＥＤであってもよい。或いは、第１発色ユニット９５１が緑色ＬＥＤで、第２発色ユニット９５５が赤色ＬＥＤであってもよい。
【００３５】
本実施形態は、主制御モジュール９１と光制御モジュール９３と光源モジュール９５との間で複数の光制御パラメータ９１３１、９１３３、９１３５を送信する処理及びそれらの機能は、図２に示した好適な実施形態のままにして、携帯電子機器の内部構成に少し修正を加えたにすぎない。そのため、ここではこれ以上説明はしない。
【００３６】
上記の説明によれば、本発明は、携帯電子機器及びその光を制御する方法を提供する。さらに、主制御モジュールに複数の光制御パラメータを記憶させ、使用中の又は頻繁に使用される選択された光制御パラメータを光制御モジュールのプリロードユニットに記憶させることによって光制御モジュールに必要なメモリの容量を減らし、光の輝度を制御するのに必要な調整時間をさらに短縮する。
【００３７】
上記の開示は、技術的内容及びその発明的特徴に関する。当業者であれば、上記した本発明の開示及び示唆を基にその特性から逸脱することなく種々の修正及び置換を進めることが考えられる。それにも係わらず、係る修正及び置換は、上記した説明において完全に開示されているわけではく、特許請求の範囲に含まれる。
【図１】
2010114884.tif 000003
【図２】
2010114884.tif 000004
【図３】
2010114884.tif 000005
【図４】
2010114884.tif 000006
【図５】
2010114884.tif 000007
【図６】
2010114884.tif 000008
【図７】
2010114884.tif 000009
【図８】
2010114884.tif 000010